(57)【要約】【課題】片手操作による文字または記号の入力の操作性を向上させることにより、メールの文章の作成を容易かつ短時間に行うことができる携帯端末を提供する。【解決手段】携帯端末は、各キー１８を表示可能なキー表示部３１を有するタッチパネル２９と、各キー１８を、所定点Ｏ１を中心として円弧上に表示させる表示制御部と、温度センサと、を備え、表示制御部は、温度センサの結果に基づいて、キー表示部３１における各キー１８の表示を所定点Ｏ１からの半径を変更して表示する。【選択図】図２
2011061842.tif 000002
【特許請求の範囲】
【請求項１】
各キーを表示可能なキー表示部を有するタッチパネルと、
前記各キーを、所定点を中心として円弧上に表示させる表示制御部と、
温度センサと、を備え、
前記表示制御部は、前記温度センサの結果に基づいて、前記キー表示部における前記各キーの表示を前記所定点からの半径を変更して表示する
ことを特徴とする携帯端末。
【発明の詳細な説明】
【技術分野】
【０００１】
本発明は、携帯電話等、通信により情報をやりとりする携帯端末に関し、特にその操作性の向上に関する。
【背景技術】
【０００２】
携帯電話等、通信により情報をやりとりする携帯端末においては、近年、小型・軽量化が進み、従来のように一方の手で機体を保持するとともに他方の手でキー操作を行うといった使い方から、一方の手の親指以外の指および手のひらで機体を保持するとともにこの一方の手の親指のみでキー操作を行うという使い方が一般的となってきている。
このような片手での保持および操作が可能な携帯端末に関するものとして、例えば特許３０４４９２６号公報に開示されたものがある。この公報に開示されたものは、回転位置毎に異なる一桁の数字を表示可能なロータリ型ダイヤル板と、該ダイヤル板で表示された数値を入力するための一つのボタンスイッチとを有し、ダイヤル番号を構成する数字をロータリ型ダイヤル板を回転させることで一つずつ選択表示し、数字の表示の度毎にボタンスイッチを操作することにより、ダイヤル番号を順次入力するものである。
【先行技術文献】
【特許文献】
【０００３】
【特許文献１】特許３０４４９２６号公報
【発明の概要】
【発明が解決しようとする課題】
【０００４】
ところで、上記公報のものはダイヤル番号を入力するための数字のみを入力させるものであるため、上記のような構成とすることができたが、近年の携帯端末は、メール送信が可能となり、メールの文章を入力するために文字（数字も含む）や記号の入力を行うことが必須となっている。しかしながら、上記公報のものはこのような文章作成のための文字入力には不適である。なぜなら、上記公報のものを文字や記号の入力に適用した場合、文字や記号を選択するたびにダイヤルを回転させなければならないため、操作が非常に煩雑で時間がかかることになる。
【０００５】
したがって、本発明は、片手操作による文字または記号の入力の操作性を向上させることにより、メールの文章の作成を容易かつ短時間に行うことができる携帯端末の提供を目的とする。
【課題を解決するための手段】
【０００６】
本発明に係る携帯端末は、各キーを表示可能なキー表示部を有するタッチパネルと、前記各キーを、所定点を中心として円弧上に表示させる表示制御部と、温度センサと、を備え、前記表示制御部は、前記温度センサの結果に基づいて、前記キー表示部における前記各キーの表示を前記所定点からの半径を変更して表示することを特徴とする。
【発明の効果】
【０００７】
本発明に係る携帯端末によれば、温度センサの検出結果に基づいて、キー表示部において各キー表示を前記所定点からの半径を変更して表示させるため、例えば、温度が低く、指がかじかみやすい状況下では、自動的に前記所定点からの半径を小さくする一方、温度が高く、指がかじかみにくい状況下では、自動的に前記所定点からの半径を大きくする等すれば、温度が低い場合および高い場合のいずれの片手操作に対しても、文字または記号の入力のためのキー入力の操作性を向上させることができる。
【図面の簡単な説明】
【０００８】
【図１】本発明の第１実施形態の携帯端末を右手で持った状態を示す正面図である。
【図２】本発明の第２実施形態の携帯端末を右手で持った状態を示す正面図であって、キー操作部の一状態を示すものである。
【図３】本発明の第２実施形態の携帯端末を左手で持った状態を示す正面図であって、キー操作部の別の状態を示すものである。
【発明を実施するための形態】
【０００９】
まず、本発明の第１実施形態の携帯端末を図１を参照して以下に説明する。 
【００１０】
第１実施形態の携帯端末は、音声通話およびメールの送受信が可能ないわゆる携帯電話であり、機体１１の全体形状は、角部が円弧状とされた略直方体形状をなしている。
【００１１】
そして、機体１１の上端部の左側にアンテナ１２が設けられ、前面１１ａの上部に音声を出力させる音声出力部１３が、前面１１ａの下部に音声を入力させる音声入力部１４が設けられている。さらに、前面１１ａの上部であって音声出力部１３より下側に、文字および記号、さらには画像等を表示可能な表示部１５が設けられている。
【００１２】
加えて、前面１１ａの中央から下部にかけて位置であって、表示部１５と音声入力部１４との間に、文字（数字を含む）または記号の入力を行うための複数のキー１８を有するキー操作部１９が設けられている。このキー操作部１９の各キー１８は、ボタン式のもので、文字または記号の表示がその表面に記されている。すなわち、各キー１８は、文字または記号の表示位置と入力操作を行う操作位置とが一致している。そして、これら複数のキー１８が、機体１１外の所定点Ｏを中心とした同心円上に配置されている。
【００１３】
すなわち、複数のキー１８は、上記所定点Ｏを中心として最も短い半径ｒ１の円弧上に配列されるキー列２１と、上記所定点Ｏを中心として上記半径ｒ１よりも若干長い半径ｒ２の円弧上に配列されるキー列２２と、上記所定点Ｏを中心として上記半径ｒ２よりも若干長い半径ｒ３の円弧上に配列されるキー列２３と、上記所定点Ｏを中心として上記半径ｒ３よりも若干長い半径ｒ４の円弧上に配列されるキー列２４と、上記所定点Ｏを中心として上記半径ｒ４よりも若干長い半径ｒ５の円弧上に配列されるキー列２５とで構成されている。
【００１４】
ここで、上記所定点Ｏは、機体１１の前面１１ａを正面に見た状態で、機体１１の下部より右側の外に設定される。具体的には、右手の親指以外の指および手のひらで機体１１を持ちながら右手の親指のみで各キー１８を操作する際に、この所定点Ｏが右手の親指の付け根の間接（基節骨間接）の中心にほぼ合う位置に該所定点Ｏが設定されている。
【００１５】
このような構成の第１実施形態の携帯端末によれば、以下の効果を奏することができる。
【００１６】
文字または記号の入力を行うための複数のキー１８が、所定点Ｏを中心とした同心円上に配置されているため、一方の手の親指以外の指および手のひらで機体１１を保持するとともにこの一方の手の親指のみでキー操作を行うという使い方をする際に、この所定点Ｏを親指の付け根の間接（基節骨間接）の中心に合わせることで、該間接を中心とした親指の回転移動の軌跡に沿ってキー１８が配列されることになり、文字または記号の入力のためのキー入力の操作性が向上する。
【００１７】
したがって、片手操作でもメールの文章の作成を容易かつ短時間に行うことができる上、親指に無理がかかりその関節が痛くなったり親指の筋が痛くなったりすることを防止できる。すなわち、人間工学的見地から無理がある配置であると、このような痛みを生じる問題があるが、このような問題を生じなくなるのである。
【００１８】
次に、本発明の第２実施形態の携帯端末を図２〜図３を参照して以下に第１実施形態との相違部分を中心に説明する。なお、第１実施形態と同様の部分には同一の符号を付しその説明は略す。
【００１９】
第２実施形態の携帯端末は、第１実施形態に対し、キー操作部１９の構成が主に相違している。
【００２０】
すなわち、表示部１５と音声入力部１４との間に設けられる第２実施形態のキー操作部１９は、第１実施形態と同様、文字（数字を含む）または記号の入力を行うための複数のキー１８を有しているが、これら複数のキー１８が、押圧操作の有無をそれぞれ個別に検出可能な複数の入力区域２８を有するタッチパネル２９と、該タッチパネル２９の範囲内に文字または記号で構成される各キー表示３０を任意の位置に表示可能なキー表示部３１とで構成されている。
【００２１】
そして、第２実施形態の携帯端末は、機体１１の内部に、キー表示部３１に各キー表示３０を同心円をなすように表示させるとともに各キー表示３０とタッチパネル２９の各入力区域２８とを対応させる図示せぬ表示制御部を具備している。すなわち、表示制御部は、文字または記号を含む各キー表示３０の表示位置と各キー表示３０に対して入力操作を行う各入力区域２８の各操作位置とが一致するように対応関係を記憶しているのである。その結果、各キー１８は、キー表示部３１で表示された各キー表示３０と、各キー表示３０に対してそれぞれ一致する位置に配置された入力区域２８とで構成される。
【００２２】
ここで、第２実施形態では、所定の入力操作により、表示制御部は、キー表示部３１において各キー表示３０を、機体１１の前面１１ａを正面に見た状態で、図２に示すように、機体１１外の右側の第１の所定点（所定点）Ｏ１を中心とした同心円上に表示させるとともに各キー表示３０とタッチパネル２９の各入力区域２８とを対応させる右手使用状態と、図３に示すように、キー表示部３１において各キー表示３０を機体１１外の左側の第２の所定点（所定点）Ｏ２を中心とした同心円上に表示させるとともに各キー表示３０とタッチパネル２９の各入力区域２８とを対応させる左手使用状態とに切換可能となっている。
【００２３】
すなわち、右手使用状態において、複数のキー１８は、上記第１の所定点Ｏ１を中心として最も短い半径ｒ１の円弧上に配列されるキー列３３と、上記第１の所定点Ｏ１を中心として上記半径ｒ１よりも若干長い半径ｒ２の円弧上に配列されるキー列３４と、上記第１の所定点Ｏ１を中心として上記半径ｒ２よりも若干長い半径ｒ３の円弧上に配列されるキー列３５と、上記第１の所定点Ｏ１を中心として上記半径ｒ３よりも若干長い半径ｒ４の円弧上に配列されるキー列３６と、上記第１の所定点Ｏ１を中心として上記半径ｒ４よりも若干長い半径ｒ５の円弧上に配列されるキー列３７とで構成される。
【００２４】
なお、この右手使用状態における第１の所定点Ｏ１は、具体的には、右手の親指以外の指および手のひらで機体１１を持ちながら右手の親指のみで各キー１８を操作する際に、この第１の所定点Ｏ１が右手の親指の付け根の間接（基節骨間接）の中心にほぼ合う位置に設定されている。
【００２５】
また、左手使用状態において、複数のキー１８は、上記第２の所定点Ｏ２を中心として最も短い半径ｒ１の円弧上に配列されるキー列３９と、上記第２の所定点Ｏ２を中心として上記半径ｒ１よりも若干長い半径ｒ２の円弧上に配列されるキー列４０と、上記第２の所定点Ｏ２を中心として上記半径ｒ２よりも若干長い半径ｒ３の円弧上に配列されるキー列４１と、上記第２の所定点Ｏ２を中心として上記半径ｒ３よりも若干長い半径ｒ４の円弧上に配列されるキー列４２と、上記第２の所定点Ｏ２を中心として上記半径ｒ４よりも若干長い半径ｒ５の円弧上に配列されるキー列４３とで構成される。このとき、右手使用状態にある機体１１と左手使用状態にある機体１１とを、それぞれの前面１１ａを正面にし上下の位置を合わせた状態で左右に近接して並べた場合に、各キー１８は、それぞれ、各機体１１の間の接触面を中心とした鏡面対称をなすように配置される。
【００２６】
なお、この左手使用状態における第２の所定点Ｏ２は、具体的には、左手の親指以外の指および手のひらで機体１１を持ちながら左手の親指のみで各キー１８を操作する際に、この第２の所定点Ｏ２が左手の親指の付け根の間接（基節骨間接）の中心にほぼ合う位置に設定されている。
【００２７】
このような構成の第２実施形態の携帯端末によれば、第１実施形態の奏する効果に加えて、以下の効果を奏することができる。
【００２８】
複数のキー１８を有するキー操作部１９が、複数の入力区域２８を有するタッチパネル２９と、該タッチパネル２９の範囲内に各キー表示３０を表示可能なキー表示部３１とを有し、キー表示３０と入力区域２８とで複数のキー１８を構成するものであるため、キー１８の位置を必要に応じて変更することができる。したがって、キー１８の位置を操作者個々の身体的特徴等に合わせて変更することができる。
【００２９】
具体的には、上記のように、各キー表示３０を機体１１の右側の第１の所定点Ｏ１を中心とした同心円上に表示させるとともに各キー表示３０とタッチパネル２９の各入力区域２８とを対応させる右手使用状態と、各キー表示３０を機体１１の左側の第２の所定点Ｏ２を中心とした同心円上に表示させるとともに各キー表示３０とタッチパネル２９の各入力区域２８とを対応させる左手使用状態とに切換可能であるため、右手での片手操作を好む人の場合は右手使用状態とし、左手での片手操作を好む人の場合は左手使用状態とすれば、左右いずれの片手操作に対しても、文字または記号の入力のためのキー入力の操作性を向上させることができる。
【００３０】
したがって、左右いずれの片手操作でもメールの文章の作成を容易かつ短時間に行うことができる上、親指に無理がかかりその関節が痛くなったり親指の筋が痛くなったりすることを防止できる。
【００３１】
なお、第２実施形態は、以下のように変更することも可能である。
【００３２】
所定の入力操作により、表示制御部が、キー表示部３１において各キー表示３０を、右手使用状態においては第１の所定点Ｏ１からの各半径ｒ１〜ｒ５を、左手使用状態においては第２の所定点Ｏ２からの各半径ｒ１〜ｒ５を、それぞれ変更して表示するとともに、各変更表示状態において各キー表示３０とタッチパネル２９の各入力区域２８とを対応させる。 
【００３３】
これにより、例えば、親指の長い人の場合に、右手使用状態においては第１の所定点Ｏ１から各キー表示３０までの各半径ｒ１〜ｒ５を、左手使用状態においては第２の所定点Ｏ２から各キー表示３０までの各半径ｒ１〜ｒ５を、それぞれ大きくし、親指の短い人の場合に、右手使用状態においては第１の所定点Ｏ１から各キー表示３０までの各半径ｒ１〜ｒ５を、左手使用状態においては第２の所定点Ｏ２から各キー表示３０までの各半径ｒ１〜ｒ５を、それぞれ小さくすれば、親指の長い人および短い人のいずれの片手操作に対しても、文字または記号の入力のためのキー入力の操作性を向上させることができる。
【００３４】
したがって、親指の長い人および短い人のいずれの片手操作でもメールの文章の作成を容易かつ短時間に行うことができる上、親指に無理がかかりその関節が痛くなったり親指の筋が痛くなったりすることを防止できる。
【００３５】
この場合、機体１１に図示せぬ温度センサを設け、表示制御部が、該温度センサの検出結果に基づいて、キー表示部３１において各キー表示３０を、右手使用状態においては第１の所定点Ｏ１からの各半径ｒ１〜ｒ５を、左手使用状態においては第２の所定点Ｏ２からの各半径ｒ１〜ｒ５を、それぞれ変更して表示させ、該変更表示状態において各キー表示３０とタッチパネル２９の各入力区域２８とを対応させるようにすることも可能である。
【００３６】
これにより、例えば、温度が低く、指がかじかみやすい状況下では、自動的に、右手使用状態においては第１の所定点Ｏ１から各キー表示３０までの各半径ｒ１〜ｒ５を、左手使用状態においては第２の所定点Ｏ２から各キー表示３０までの各半径ｒ１〜ｒ５を、それぞれ小さくする一方、温度が高く、指がかじかみにくい状況下では、自動的に、右手使用状態においては第１の所定点Ｏ１から各キー表示３０までの各半径ｒ１〜ｒ５を、左手使用状態においては第２の所定点Ｏ２から各キー表示３０までの各半径ｒ１〜ｒ５を、それぞれ大きくする等すれば、温度が低い場合および高い場合のいずれの片手操作に対しても、文字または記号の入力のためのキー入力の操作性を向上させることができる。
【００３７】
したがって、温度が低い場合および高い場合のいずれの片手操作でもメールの文章の作成を容易かつ短時間に行うことができる上、親指に無理がかかりその関節が痛くなったり親指の筋が痛くなったりすることを防止できる。
【００３８】
さらに、所定の入力操作により、表示制御部が、キー表示部３１における各キー表示３０のそれぞれに対応するタッチパネル２９の入力区域２８の数を変更するようにしてもよい。
【００３９】
このように、各キー表示３０のそれぞれに対応する入力区域２８の数を変更すれば、例えば、親指の押圧面積が大きい人の場合、入力区域２８の数を減らすことで、押そうとしているキー表示３０の隣のキー表示３０に対応する入力区域２８を押圧してしまうことを防止し、親指の押圧面積が小さい人の場合、入力区域２８の数を増やすことで、入力しようとしているキー表示３０に対し多少ずれた状態で押圧がなされたとしても入力できない状態が生じるのを防止することができる。
【００４０】
したがって、親指の押圧面積の広い人および狭い人のいずれの片手操作でもメールの文章の作成を容易かつ短時間に行うことができる上、親指に無理がかかりその関節が痛くなったり親指の筋が痛くなったりすることを防止できる。
【符号の説明】
【００４１】
１１…機体、  １８…キー、  １９…キー操作部、  ２８…入力区域、  ２９…タッチパネル、  ３０…キー表示、  ３１…キー表示部、  Ｏ…所定点、  Ｏ１…第１の所定点（所定点）、  Ｏ２…第２の所定点（所定点）
【図１】
2011061842.tif 000003
【図２】
2011061842.tif 000004
【図３】
2011061842.tif 000005